(57)【要約】【課題】一つの簡易建物で、屋根パネルを取付けた屋根とパーゴラとを併設でき、しかも、垂木を桁の前方に突出させて屋根の前側は垂木の先端で輪郭を現すようにしたいという要望や屋根パネルを取付けたときでも十分な雨仕舞ができるようにしたいという要望に容易に対応することができると共に屋根パネルを取付ける場合と取付けない場合の垂木を共通のものにすることができる簡易建物を提供する。【解決手段】本発明の簡易建物１において、排水機能付き桁５は上面に雨水排水溝１５を有し、垂木７は長手方向の任意の位置にパネル側端受け部材２７を取付け自在なもので且つ桁上面に載置してあり、パネル先端載置部材１１は、垂木７、７間で且つ雨水排水溝１５の開口１５ａよりも後側の桁上面に取付けてあり、屋根パネル９は、先端９ａをパネル先端載置部材１１の上面に載置してあると共に両側部を垂木７に取付けたパネル側端受け部材２７に載置して固定してある。【選択図】図１
2008267113.tif 000002
【特許請求の範囲】
【請求項１】
排水機能付き桁と、垂木と、屋根パネルと、パネル側端受け部材と、パネル先端載置部材とを備え、垂木は長手方向の任意の位置にパネル側端受け部材を取付け自在なもので且つ桁上面に載置してあり、パネル先端載置部材は、垂木間で且つ桁に取付自在なものであり、屋根パネルは、先端をパネル先端載置部材の上面に取付けてあると共に両側端部を垂木に取付けたパネル側端受け部材に取付けてあることを特徴とする簡易建物。
【請求項２】
排水機能なし桁を更に備え、排水機能なし桁は排水機能付き桁の前側に間隔をおいて位置し且つ排水機能付き桁よりも長いものであり、垂木は左右方向の一方側に位置し且つ排水機能付き桁と排水機能なし桁に載置したものと、他方側に位置し且つ排水機能なし桁に載置したものがあることを特徴とする請求項１に記載の簡易建物。
【請求項３】
排水機能なし桁を更に備え、排水機能なし桁は排水機能付き桁の後側で且つ左右方向にずれた位置に配置してあり、その端部を排水機能付き桁に載置した垂木に固定してあり、垂木は排水機能なし桁に載置したものと、排水機能付き桁に載置したものとがあることを特徴とする請求項１に記載の簡易建物。
【請求項４】
排水機能なし桁を更に備え、排水機能付き桁は排水機能なし桁の後側で且つ左右方向にずれた位置に配置してあり、その端部を排水機能なし桁に載置した垂木に固定してあり、垂木は排水機能なし桁に載置したものと、排水機能付き桁に載置したものとがあることを特徴とする請求項１に記載の簡易建物。
【請求項５】
排水機能なし桁を更に備え、排水機能なし桁は排水機能付き桁の前側に間隔をおいて位置し、垂木は排水機能付き桁及び排水機能なし桁に載置してあることを特徴とする請求項１に記載の簡易建物。
【請求項６】
排水機能付き桁は上面に雨水排水溝を有し、パネル先端載置部材は、雨水排水溝の開口よりも後側の桁上面に取付け自在なものであることを特徴とする請求項１乃至５の何れかに記載の簡易建物。
【発明の詳細な説明】
【技術分野】
【０００１】
本発明は、屋根パネルを有する簡易建物に関する。
【背景技術】
【０００２】
特許文献１には、垂木の中間部を桁の上面に載置することが開示されている。
特許文献２には、雨水排水溝を設けた排水機能付き桁を屋根パネルの先端に配置して、桁には雨水排水溝の後側にパネル先端載置部材を取付けて屋根パネルの先端を載置して固定することが開示されている。
【０００３】
【特許文献１】特開平８−１７７１２２号公報
【特許文献２】特開平２００１−３５５２８２号公報
【発明の開示】
【発明が解決しようとする課題】
【０００４】
一方、一つの簡易建物で、屋根パネルを取付けた屋根とパーゴラとを併設したいという要求がある。例えば、デッキに設ける簡易建物においては、屋根を大きくして、デッキの上には屋根パネルを設け、デッキを越えた前側やデッキの横側を垂木のみとしてパーゴラとして利用したいという要求がある。
更に、デッキの後側（家側）に屋根パネルを設け、屋根の前側は垂木の先端側で屋根の輪郭を現すようにしたいという要求もある。
しかし、従来は、屋根パネルを取付けた屋根と、パーゴラとは別の簡易建物としてあり、一つの簡易建物で、両者を兼ね備えたものはなかった。
また、上述の特許文献１及び２では、何れも屋根パネルは垂木の後端から先端に亘って設けてあるので、屋根の先端側の輪郭を垂木の先端側で現すという要求に対応することができない。
更に、特許文献２の雨水排水溝を設けた桁は、垂木の先端を当接させる構造としているので、垂木を載置して先端を桁よりも前方に配置することができないと共に特許文献１のように垂木のみを取付ける桁とは別に製造する必要がある。
【０００５】
そこで、本発明は、一つの簡易建物で、屋根パネルを取付けた屋根とパーゴラとを併設でき、しかも、垂木を桁の前方に突出させて屋根の前側は垂木の先端で輪郭を現すようにしたいという要望や屋根パネルを取付けたときでも十分な雨仕舞ができるようにしたいという要望に容易に対応することができると共に屋根パネルを取付ける場合と取付けない場合の垂木を共通のものにすることができる簡易建物の提供を目的とする。
【課題を解決するための手段】
【０００６】
請求項１に記載の発明は、排水機能付き桁と、垂木と、屋根パネルと、パネル側端受け部材と、パネル先端載置部材とを備え、垂木は長手方向の任意の位置にパネル側端受け部材を取付け自在なもので且つ桁上面に載置してあり、パネル先端載置部材は、垂木間で且つ桁に取付自在なものであり、屋根パネルは、先端をパネル先端載置部材の上面に取付けてあると共に両側端部を垂木に取付けたパネル側端受け部材に取付けてあることを特徴とする。
【０００７】
請求項２に記載の発明は、請求項１に記載の発明において、排水機能なし桁を更に備え、排水機能なし桁は排水機能付き桁の前側に間隔をおいて位置し且つ排水機能付き桁よりも長いものであり、垂木は左右方向の一方側に位置し且つ排水機能付き桁と排水機能なし桁に載置したものと、他方側に位置し且つ排水機能なし桁に載置したものがあることを特徴とする。
【０００８】
請求項３に記載の発明は、請求項１に記載の発明において、排水機能なし桁を更に備え、排水機能なし桁は排水機能付き桁の後側で且つ左右方向にずれた位置に配置してあり、その端部を排水機能付き桁に載置した垂木に固定してあり、垂木は排水機能なし桁に載置したものと、排水機能付き桁に載置したものとがあることを特徴とする。
【０００９】
請求項４に記載の発明は、請求項１に記載の発明において、排水機能なし桁を更に備え、排水機能付き桁は排水機能なし桁の後側で且つ左右方向にずれた位置に配置してあり、その端部を排水機能なし桁に載置した垂木に固定してあり、垂木は排水機能なし桁に載置したものと、排水機能付き桁に載置したものとがあることを特徴とする。
【００１０】
請求項５に記載の発明は、請求項１に記載の発明において、排水機能なし桁を更に備え、排水機能なし桁は排水機能付き桁の前側に間隔をおいて位置し、垂木は排水機能付き桁及び排水機能なし桁に載置してあることを特徴とする。
【００１１】
請求項６に記載の発明は、請求項１に記載の発明において、排水機能付き桁は上面に雨水排水溝を有し、パネル先端載置部材は、雨水排水溝の開口よりも後側の桁上面に取付け自在なものであることを特徴とする。
【発明の効果】
【００１２】
請求項１に記載の発明によれば、垂木には長手方向の任意の位置にパネル側端受け部材を取付け自在であるから、パネル側端受け部材を垂木の後端側のみしたり、中間部のみにしたり、あるいはパネル側端受け部材を取付けたり、取付けなかったりすることができることや、屋根パネルを取付ける垂木と、屋根パネルを取付けない垂木とを一つの桁に取付けできることで、一つの簡易建物で、屋根パネルを取付けた屋根とパーゴラとを併設できる。また、屋根パネルを取付ける場合と取付けない場合の垂木を共通のものにすることができる。
パネル先端載置部材は、垂木間で且つ排水機能付き桁に取付けてあり、屋根パネルは先端をパネル先端載置部材の上面に取付けてあるので、屋根パネル上を流下する雨水が排水機能付き桁の雨水排水部に流すことができることから十分な雨仕舞ができる。
また、屋根パネルを取付けた屋根の先端を垂木のみにすることができ、屋根の前側を垂木の先端のみで輪郭を形成できる。
【００１３】
請求項２記載の発明によれば、請求項１に記載の作用効果を奏すると共に、一つの簡易建物で、左右方向の一方側の垂木は後側に屋根パネルを配置し、前側を垂木のみにしてパーゴラにすると共に左右方向の他方側も垂木のみにしてパーゴラとすることができる。
【００１４】
請求項３及４の発明によれば、請求項１に記載の作用効果を奏すると共に、一つの簡易建物で、左右方向一方側は垂木間に屋根パネルを配置し、左右の他方側では垂木のみにしてパーゴラとすることができる。
【００１５】
請求項５の発明によれば、請求項１に記載の作用効果を奏すると共に、一つの簡易建物で、後側では垂木間に屋根パネルを配置し且つ前側部分をパーゴラとすることができる。
【００１６】
請求項６の発明によれば、請求項１乃至５の何れかに記載の作用効果を奏すると共に、パネル先端載置部材は、垂木間で且つ雨水排水溝の開口よりも後側の桁上面に取付けてあり、屋根パネルは先端をパネル先端載置部材の上面に載置した合理的な構造なので、安価に製造できる。
【発明を実施するための最良の形態】
【００１７】
以下に、添付図面を参照して本発明の実施の形態を説明するが、まず、図１〜図３を参照して本発明の第１実施の形態について説明する。図１は本発明の第１実施の形態に係る簡易建物を図３のＡ−Ａ位置で切断して示す断面図であり、図２は本発明の第１実施の形態に係る簡易建物を図１のＢ−Ｂ位置で切断して示す断面図であり、図３は本発明の第１実施の形態に係る簡易建物の斜視図である。
図３に示すように、第１実施の形態に係る簡易建物１では、デッキ３の真上の部分には屋根パネル９が配置され、デッキ３を超えた部分は垂木７のみで構成されたパーゴラ２としてある。
この簡易建物１は、図１に示すように、支柱１３と、排水機能付き桁５と、垂木７と、垂木掛け２１と、屋根パネル９と、屋根パネル９の先端を載置するパネル先端載置部材１１とを備えている。
排水機能付き桁５は、支柱１３の上端に固定してあり、支柱１３の上端間に架設してある。排水機能付き桁５には、上面が開口する雨水排水溝１５が設けてあり、雨水排水溝１５の後側（家側）には、垂木７にねじ１７で固定する垂木固定部１９が設けてある。
また、排水機能付き桁５の前側には前側化粧板３７ａの係止部３９が設けてあり、後側には後側化粧板３７ｂの係止部３９が設けてあり、後側化粧板３７ｂは係止部３９に上から係止して、化粧板３７の上端を押さえ部材４１で押さえて取付けてある。
垂木掛け２１は、パネル取付溝（パネル取付部）２１ａと、垂木固定部２１ｂとを有している。
垂木７は、後端７ａが垂木掛け２１の垂木固定部２１ｂに固定してあり、中間部７ｂが排水機能付き桁５の上面に載置しており、先端７ｃが排水機能付き桁５よりも前方に位置して、先端７ｃの後側は排水機能なし桁２３に載置して取付けてある。尚、垂木の先端７ｃにはキャップ２５が取付けてある。本実施の形態では、垂木の先端７ｃは敷地の輪郭４６（図３参照）を現すように配置されている。
排水機能なし桁２３は、本実施の形態に係る排水機能付き桁５と同種のものを用いており、排水機能付き桁５の上面にパネル先端載置部材１１を取付けないで、雨水排水溝１５の開口に蓋をする蓋部材４５を取付けている。排水機能なし桁２３は、排水機能付き桁５よりも前側に位置している。
図２に示すように、垂木７の側面には、パネル側端受け部材２７とパネル押さえ２９とが設けてあり、パネル側端受け部材２７とパネル押さえ２９とは、図１に示すように、垂木７の後端７ａから中間部７ｂに亘って配置されている。パネル側端受け部材２７とパネル押さえ２９とは、垂木７の長手方向の任意の位置に取付け自在である。
パネル先端載置部材１１は、垂木７、７間で排水機能付き桁５に取付けてあり、且つ雨水排水溝１５の開口１５ａよりも後側で排水機能付き桁５の上面にねじ３１で取付けてある。パネル先端載置部材１１の上端には、屋根パネル９の先端９ａを載置する載置部１１ａと、屋根パネル９の上面を流れてきた雨水を雨水排水溝１５に案内する雨水案内部１１ｂとが設けてある。雨水案内部１１ｂは、パネル先端載置部材１１の前側に設けてあり、上部が前側に突設した湾曲状を成しており、湾曲部３３の先端が屋根パネルとの当接部３５となっており、当接部３５は屋根パネル９の先端９ａの上面に当接している。屋根パネル先端９ａとの当接部３５は、湾曲部３３の塑性変形による付勢力で屋根パネル先端９ａを押さえている。
屋根パネル９は垂木７、７間に設けてあり、後端９ｂを垂木掛け２１のパネル取付溝２１ａに取付けてあり、先端９ａをパネル先端載置部材１１の上端に載置して、パネル先端載置部１１の当接部３５が上から押さえて固定している。
尚、排水機能付き桁５には、雨水排水溝１５の開口１５ａの前側に、止水板４３が取付けてあり、屋根パネル９を流れる雨水が雨水排水溝１５の開口１５ａを越えるのを防止している。
【００１８】
次に、第１実施の形態に係る屋根の作用及び効果について説明する。
第１実施の形態に係る簡易建物１は、垂木７の中間部７ｂを載置する排水機能付き桁５が雨水排水溝１５を有しており、排水機能付き桁５には屋根パネル９の先端を載置するパネル先端載置部材１１を設けているから、図３に示すように、屋根パネル９をデッキ３の上にのみ配置し、屋根の先端は垂木７のみとしてパーゴラ２として利用したり、垂木７の先端７ｃで屋根の輪郭を敷地の輪郭４６に沿って配置することができる。更に、本実施の形態では、屋根の左右側において、屋根パネル９を取付けた垂木側（図３の左側）に対して反対側（図３の右側）の垂木７はそのまま排水機能なし桁２３に中間部を載置してパーゴラ２として利用しているから、屋根パネル９を取付け桁の横（左右側）にもパーゴラ２を設けることができる。即ち、一つの簡易建物で、左右方向の一方側の垂木７は後側に屋根パネル９を配置し、前側を垂木７のみにしてパーゴラ２にすると共に左右方向の他方側も垂木７のみにしてパーゴラ２とすることができる。
パネル先端載置部材１１は、垂木７、７間で且つ雨水排水溝１５の開口１５ａよりも後側の桁上面に取付けてあり、屋根パネル９は先端９ａをパネル先端載置部材１１の上面に載置した合理的な構造なので、安価に製造できる。
パネル先端載置部材２７は、垂木７、７間で且つ排水機能付き桁５に取付けてあり、屋根パネル９は先端９ａをパネル先端載置部材２７の上面に取付けてあるので、屋根パネル９上を流下する雨水が排水機能付き桁５の雨水排水溝１５に流すことができることから十分な雨仕舞ができる。
本実施の形態に係る簡易建物１は、垂木７の側面に設けたパネル側端受け部材２７とパネル押さえ２９とは垂木７の長手方向の任意の位置に設け自在であるから、排水機能付き桁５を屋根パネル９の先端９ａ側に配置すれば良いので、屋根パネル９の先端位置に応じて自由に設置できるから、屋根パネル９の設置長さを自由に設計できる。また、屋根パネル９を取付ける場合と取付けない場合の垂木７を共通のものにすることができる。
パネル先端載置部材１１は排水機能付き桁５に取付けてあるから、屋根パネル９と関係なく、垂木７のみを固定する場合には、例えば、図１に示す排水機能なし桁２３には、屋根パネルの先端に設ける排水機能付き桁５と同種の桁を用いて、雨水排水溝１５の開口１５ａに蓋４５を取付けて用いることができる。従って、同種の桁５で、屋根パネル９に取付けたり、垂木のみに取付けたりすることができる。
パネル先端載置部材１１には、雨水案内部１１ｂが設けてあるので、雨量の少ないときには屋根パネルを伝わって流れる雨水を雨水排水溝１５に案内することができ、雨量が多いときには止水板４３により雨水排水溝１５を越えるのを防止できる。
パネル先端載置部材１１において、屋根パネル９との当接部３５は、湾曲部３３の付勢力により屋根パネルの先端９ａを載置部１１ａに押さえて固定しているので、ねじ等の部品を用いることなく簡易な構成でパネル載置部１１に屋根パネルの先端９ａを固定することができる。
化粧パネル３７ａ、３７ｂは排水機能付き桁５に係止により取付けているので取付け取り外しが容易にでき、デッキや家の意匠等に合わせて異なる意匠の化粧パネルに容易に変更できる。
【００１９】
以下に、本発明の他の実施の形態について説明するが、以下に説明する他の実施の形態においては、上述した第１実施の形態と同一の作用効果を奏する部分には同一の符号を付することにより、その部分の詳細な説明を省略し、第１実施の形態と主に異なる点を説明する。
図４は、第２実施の形態に係る簡易建物１を示している。この第２実施の形態に係る簡易建物１においては、左右の一側（図４の左側）に位置する垂木７、７間のみにパネル９を配置し、他側（図４の右側）に位置する垂木７には屋根パネル９を配置していないと共に、排水機能付き桁５は雨水排水溝１５を有する同じ桁を用いている。また、パネル９は後端を垂木掛け２１に固定してあり、先端側を排水機能付き桁５に載置して固定し、垂木７の先端７ｃは排水機能付き桁５よりも前方に配置して屋根の輪郭を現している。第２実施の形態におけるその他の構成は、上述した第１実施の形態と略同じである。
【００２０】
この第２実施の形態によれば、屋根パネル９を取付けた屋根の先端を垂木７のみにすることができ、屋根の前側を垂木７の先端ａのみで輪郭を形成できる。
同じ排水機能付き桁５に屋根パネル９を取付けた垂木７とパーゴラ用の垂木７を固定することができる。
屋根パネル９を取付ける垂木７と、屋根パネル９を取付けない垂木７とを一つの桁１５に取付けできる。また、一つの簡易建物で、屋根パネル９を取付けた垂木７の左右側一方をパーゴラ２とすることができる。
垂木７の側面に設けたパネル側端受け部材２７とパネル押さえ２９とは垂木７の長手方向の任意の位置に設け自在であるから、排水機能付き桁５を屋根パネル９の先端９ａ側に配置すれば良いので、屋根パネル９の先端位置に応じて自由に設置できるから、屋根パネル９の設置長さを自由に設計できる。また、屋根パネル９を取付ける場合と取付けない場合の垂木７を共通のものにすることができる。
【００２１】
図５及び図１１は、第３実施の形態に係る簡易建物１を示している。この第３実施の形態に係る簡易建物１は、図５に示すように、屋根パネル９を配置した垂木７、７は雨水排水溝１５がある排水機能付き桁５に取付けてあり、屋根パネル９を配置していない垂木は排水機能なし桁４４に取付けてある。また、屋根パネル９のある垂木７を載置する排水機能付き桁５の横（左右側の一側）に、垂木７のみを載置する排水機能なし桁４４を配置してあり、排水機能なし桁４４は排水機能付き桁５の後側に配置している。この第３実施の形態におけるその他の構成は、上述した第１実施の形態と略同じである。尚、第３実施の形態では、排水機能なし桁側には、積雪時に荷重を受ける屋根パネルが取付けられていないことから、排水機能なし桁４４は一端部４４ａが支柱１３の上端に取付けてあるが、他端部４４ｂは垂木７に固定するだけで支柱を設ける必要がない。従って、排水機能なし桁の他端部の下方は障害物となる支柱がなく、開放感を演出できる。
排水機能なし桁４４の他端部は、図１１に示すように、桁掛けブラケット５１により垂木７に固定されている。図１１（ａ）は、図５のＢ−Ｂ断面図であり、（ｂ）は（ａ）のＣ−Ｃ断面図であり、（ｃ）は桁掛けブラケットの縦断面図である。
桁掛けブラケット５１は、垂木７に上から係止する係止部５２と、垂木７の側面と排水機能なし桁４４の端面に当接する垂下部５３と、垂下部５３から水平方向に突出して桁４４の下面を受ける桁受部５４とを有している。係止部５２は断面略コ字状を成しており、垂木７に上から被せるようになっている。垂下部５３はねじ５５で垂木７の側面に固定されている。桁受部５４は桁４４の下面に頭を配置したボルト５７のねじ部に挿通して、下から止める袋ナット５８で桁４４の下面に固定されている。尚、ボルト５７の頭と桁の下面と間には裏板が配置されている。尚、排水機能なし桁４４の他端部４４ｂに設けてあるのは桁キャップ５９である。
この桁掛けブラケット５１により、垂木７の長手方向中間部の任意の位置に桁４４を固定できる。
本実施の形態では、桁掛けブラケット５１は、金属板を断面略Ｚ形状に形成するだけであるから、簡易な構成で且つ安価に製造できる。
桁掛けブラケット５１は、取付け時には、係止部５２を垂木７に沿ってスライド自在であるから、垂木７に対する位置調整が容易にできる。同様に、桁受部５４は排水機能なし桁４４をスライド自在であるから、位置調整が容易である。
また、桁掛けブラケット５１は、係止部５２を垂木７にかけて垂下し、桁受部５４に排水機能なし桁４４を載せた状態で、手をフリー状態にして、排水機能なし桁４４や垂木７とのねじ固定ができるので、作業性が良い。
この第３実施の形態によれば、一つの簡易建物１で、左右の一側に屋根パネル９を配置し、左右の他側をパーゴラ２として利用することができる。
屋根パネル９を取付けた屋根の先端を垂木７のみにすることができ、屋根の前側を垂木７の先端ａのみで輪郭を形成できる。
垂木７の側面に設けたパネル側端受け部材２７とパネル押さえ２９とは垂木７の長手方向の任意の位置に設け自在であるから、排水機能付き桁５を屋根パネル９の先端９ａ側に配置すれば良いので、屋根パネル９の先端位置に応じて自由に設置できるから、屋根パネル９の設置長さを自由に設計できる。また、屋根パネル９を取付ける場合と取付けない場合の垂木７を共通のものにすることができる。
【００２２】
第３実施の形態において、排水機能なし桁４４は図６に示すように、雨水排水溝１５を設けた排水機能付き桁５よりも前側に配置して、屋根パネル９を配置していない垂木７の中間部を載置するものであってもよい。
尚、図６のＦ−Ｆ断面を図１２に示すように、図６に示す実施の形態では、排水機能付き桁５は垂木７の下で、支柱１３の上端に固定されている。
【００２３】
図７は、第４実施の形態に係る簡易建物１を示している。この第４実施の形態に係る簡易建物１は、排水機能付き桁５の前側に排水機能なし桁２３を設けたものであり、簡易建物１の各垂木７において、後側に屋根パネル９を配置し、前側には屋根パネル９を配置しないで、パーゴラ２としている。
この第４実施の形態によれば、屋根の先端を垂木７のみにすることができる。従って、屋根の前側は、垂木７の先端７ｃのみで輪郭を形成することができる。
また、一つの簡易建物１で後側には屋根パネル９を設け、前側はパーゴラ２とすることができる。
垂木７の側面に設けたパネル側端受け部材２７とパネル押さえ２９とは垂木７の長手方向の任意の位置に設け自在であるから、排水機能付き桁５を屋根パネル９の先端９ａ側に配置すれば良いので、屋根パネル９の先端位置に応じて自由に設置できるから、屋根パネル９の設置長さを自由に設計できる。また、屋根パネル９を取付ける場合と取付けない場合の垂木７を共通のものにすることができる。
【００２４】
図８は、第５実施の形態に係る簡易建物１を示している。尚、図８において、一点鎖線で抜き出して示しているのは、Ａ−Ａ断面図である。この第５実施の形態に係る簡易建物１では、垂木７は後端７ａを垂木掛け２１の垂木取付部２１ｂに固定してあり、屋根パネル９の後端は垂木７の後端７ａと間隔を空けて配置している。また、屋根パネル９の後端は、パネル取付部２４に固定されている。
この第５実施の形態によれば、屋根の先端を垂木７のみにすることができる。従って、屋根の前側を垂木７の先端７ｃのみで輪郭を形成することができる。
また、一つの簡易建物１で前側には屋根パネル９を設け、後側はパーゴラ２とすることができる。
垂木７の側面に設けたパネル側端受け部材２７とパネル押さえ２９とは垂木７の長手方向の任意の位置に設け自在であるから、排水機能付き桁５を屋根パネル９の先端９ａ側に配置すれば良いので、屋根パネル９の先端位置に応じて自由に設置できるから、屋根パネル９の設置長さを自由に設計できる。また、屋根パネル９を取付ける場合と取付けない場合の垂木７を共通のものにすることができる。
【００２５】
図９は、第６実施の形態に係る簡易建物１を示している。この第６実施の形態に係る簡易建物１は、垂木７、７間には全て屋根パネル９が配置してあると共に、垂木７には屋根パネル９が垂木掛け２１から排水機能付き桁５に亘って設けてある。
この第６実施の形態によれば、屋根の後側に屋根パネル９を配置して、屋根の前側を垂木７のみにすることができる。従って、屋根の前側を垂木７の先端７ｃのみで輪郭を形成することができる。
一つの簡易建物１で後側には屋根パネル９を設け、前側はパーゴラ２とすることができる。
垂木７の側面に設けたパネル側端受け部材２７とパネル押さえ２９とは垂木７の長手方向の任意の位置に設け自在であるから、排水機能付き桁５を屋根パネル９の先端９ａ側に配置すれば良いので、屋根パネル９の先端位置に応じて自由に設置できるから、屋根パネル９の設置長さを自由に設計できる。また、屋根パネル９を取付ける場合と取付けない場合の垂木７を共通のものにすることができる。
【００２６】
図１０は、第７実施の形態に係る簡易建物１を示している。この第７実施の形態に係る簡易建物１は、デッキ３の前側の円弧状の輪郭に合わせて垂木７の先端を排水機能付き桁５の前側に突出させているものである。
この第７実施の形態によれば、屋根の前側を垂木７の先端７ｃのみで輪郭を形成することができる。従って、屋根の前側をデッキ３の前側の輪郭に合わせてデッキ３と屋根の統一感を得ることが容易に行える。
【００２７】
本発明は、上述した実施の形態に限らず、本発明の要旨を逸脱しない範囲で種々変形可能である。
例えば、簡易建物１はデッキに設けることに限らず、テラスに設けたり、車庫であってもよい。
また、第１実施の形態において、垂木７の先端７ｃは排水機能付き桁５から前方へ出る寸方を少なくして、垂木７の先端側には排水機能なし桁２３に固定しないで垂木７のみとして、屋根の輪郭を構成するようにしてもよい。
第１〜４及び６実施の形態において、図８に示す第５実施の形態と同様に、屋根パネル９の後端は垂木掛け２１との間に間隔を空けて配置するものであっても良い。
第１実施の形態において、垂木掛け２１及び排水機能なし桁２３を屋根パネル９を取付けた垂木７の左側（図３の左側）にも延出させて、屋根パネル９を取付けた垂木７の左側（図３の左側）にも右側と同様に垂木７の中間部を排水機能なし桁２３に載置する構成とし、屋根パネル９を取付けた垂木７の左右両側にパーゴラ２を構成するものであっても良い。
第２実施の形態においても、垂木掛け２１及び桁１５を屋根パネル９を取付けた垂木７の左側（図４の左側）にも延出させて、屋根パネル９を取付けた垂木７の左側（図４の左側）にも右側と同様に垂木７の中間部を桁１５に載置する構成とし、屋根パネル９を取付けた垂木７の左右両側にパーゴラ２を構成するものであっても良い。
第１〜第６実施の形態及び上述した変形例において、屋根パネル９を取付けた垂木７のうちの隣合う一部の垂木７、７間には、パネル側端受け部材２７及び屋根パネル９を設けないで且つこれらの垂木間では桁１５にパネル先端載置部材１１を取付けないものとしても良い。
垂木７は垂直面とした側面にパネル側端受け部材２７を取付けるものであってもよい。
第３実施の形態において、桁掛けブラケット５１は、係止部５２を設けないで、桁受部５４と垂下部５３からなる略逆さＬ字形状とし、垂下部５３を垂木７の側面にねじ止めしても良い。また、桁掛けブラケット５１は、桁受部５４を設けないで係止部５２と垂下部５３からなる略Ｌ字形状とし、垂下部５３を桁４４の端面に固定するものであっても良い。
【図面の簡単な説明】
【００２８】
【図１】本発明の第１実施の形態に係る簡易建物を図３のＡ−Ａ位置で切断して示す断面図である。
【図２】本発明の第１実施の形態に係る簡易建物を図１のＢ−Ｂ位置で切断して示す断面図である。
【図３】本発明の第１実施の形態に係る簡易建物の斜視図である
【図４】本発明の第２実施の形態に係る簡易建物の平面図である。
【図５】本発明の第３実施の形態に係る簡易建物の平面図である。
【図６】本発明の第３実施の形態に係る簡易建物の変形例を示す平面図である。
【図７】本発明の第４実施の形態に係る簡易建物の平面図である。
【図８】本発明の第５実施の形態に係る簡易建物の平面図である。
【図９】本発明の第６実施の形態に係る簡易建物の平面図である。
【図１０】第２実施の形態の変形例を示す簡易建物の平面図である。
【図１１】本発明の第３実施の形態に係る簡易建物の図であり、（ａ）は、図５のＢ−Ｂ断面図であり、（ｂ）は（ａ）のＣ−Ｃ断面図であり、（ｃ）は桁掛けブラケットの縦断面図である。
【図１２】図６のＦ−Ｆ断面図である。
【符号の説明】
【００２９】
１      簡易建物
５      排水機能付き桁
７      垂木
７ｃ    先端
９      屋根パネル
１１    パネル先端載置部材
１３    支柱
１５    雨水排水溝
２３、４４    排水機能なし桁
２７    パネル側端受け部材
【図１】
2008267113.tif 000003
【図２】
2008267113.tif 000004
【図３】
2008267113.tif 000005
【図４】
2008267113.tif 000006
【図５】
2008267113.tif 000007
【図６】
2008267113.tif 000008
【図７】
2008267113.tif 000009
【図８】
2008267113.tif 000010
【図９】
2008267113.tif 000011
【図１０】
2008267113.tif 000012
【図１１】
2008267113.tif 000013
【図１２】
2008267113.tif 000014